(57)【要約】【課題】  印刷方向の端部に余白が生じることの無い印刷物製造方法を提供する。【解決手段】印刷物製造方法は、輪転印刷機により巻取紙に印刷した後に切断して印刷物を形成する印刷物製造方法であって、前記印刷物の印刷方向の中間位置に当該印刷物の印刷方向に対して直角な無印刷領域を設け、当該無印刷領域を境界にして上下領域に印刷デザインを配置した印刷原稿をデザインするデザイン工程と、前記印刷原稿における上下端が連続するとともに、前記印刷原稿における無印刷領域が印刷版の咥え及び咥え尻の間の印刷不可能部となるように印刷版を作製する印刷版作製工程と、版胴に前記印刷版を巻きつけるとともに、前記咥え及び咥え尻を固定して、前記印刷版５を固定し、輪転印刷する印刷工程と、印刷された巻取紙を前記印刷原稿における上下端の間で切断する切断工程と、を備える。【選択図】図５
2017185719.tif 000002
【特許請求の範囲】
【請求項１】
輪転印刷機により巻取紙に印刷した後に切断して印刷物を形成する印刷物製造方法であって、
前記印刷物の印刷方向の中間位置に当該印刷物の印刷方向に対して直角な無印刷領域を設け、当該無印刷領域を境界にして上下領域に印刷デザインを配置した印刷原稿をデザインするデザイン工程と、
前記印刷原稿における上下端が連続するとともに、前記印刷原稿における無印刷領域が印刷版の咥え及び咥え尻の間の印刷不可能部となるように印刷版を作製する印刷版作製工程と、
版胴に前記印刷版を巻きつけるとともに、前記咥え及び咥え尻を固定して、前記印刷版を固定し、輪転印刷する印刷工程と、
印刷された巻取紙を前記印刷原稿における上下端の間で切断する切断工程と、
を備えることを特徴とする印刷物製造方法。
【請求項２】
輪転印刷機により巻取紙に複数の印刷版を重ね刷り印刷した後に切断して印刷物を形成する印刷物製造方法であって、
前記印刷物の印刷方向に対して直角な無印刷領域が少なくとも１つの印刷版と他の印刷版とで重ならない配置となるように印刷原稿をデザインするデザイン工程と、
前記印刷原稿における無印刷領域が印刷版の咥え及び咥え尻の間の印刷不可能部となるようにそれぞれの印刷版を作製する印刷版作製工程と、
複数の版胴にそれぞれ前記印刷版を巻きつけるとともに、前記咥え及び咥え尻を固定して、当該印刷版を固定し、当該印刷版毎に輪転印刷を繰り返して重ね刷りする印刷工程と、
印刷された巻取紙を前記印刷原稿における上下端の間で切断する切断工程と、
を備えることを特徴とする印刷物製造方法。
【請求項３】
前記印刷版はそれぞれ異なる色に対応する印刷版であり、前記印刷物は多色重ね刷りの印刷物であることを特徴とする請求項２に記載の印刷物製造方法。
【請求項４】
前記デザイン工程は、前記印刷原稿における上端又は下端に見出し部をデザインすることを特徴とする請求項１から請求項３のいずれかに記載の印刷物製造方法。
【請求項５】
前記印刷物は折込チラシであり、前記切断工程により切断された印刷物を当該印刷物の印刷方向の中央からずらした位置で２つ折りする２つ折り工程を更に有することを特徴とする請求項４に記載の印刷物製造方法。
【発明の詳細な説明】
【技術分野】
【０００１】
本発明は、輪転印刷機により巻取紙に印刷した後に切断して印刷物を形成する印刷物製造方法に関する。
【背景技術】
【０００２】
従来より、同一内容の印刷物を高速で大量に製造する必要がある新聞、雑誌、折込チラシ等の印刷物を製造する方法として、巻取紙１００の輪転印刷が用いられている（例えば特許文献１）。輪転印刷に用いる輪転印刷機１０１は、印刷版１０２を巻きつけた版胴１０３、又は印刷版１０２からインク画像が転写されたブランケット胴に巻取紙１００を圧接させて連続的に印刷するものである。そして、版胴１０３には切溝１０４が設けられており、印刷版１０２の咥え１０５及び咥え尻１０６が切溝１０４内で固定されることにより、印刷版１０２は版胴１０３に巻きついた状態で固定される（例えば特許文献２）。
【０００３】
そして、版胴１０３の切溝１０４部分には、図１１に示すように、印刷版１０２の咥え１０５と咥え尻１０６の間の印刷版１０２がない印刷不可能部１０７ができる。巻取紙１００に輪転印刷を終えると、当該巻取紙１００の印刷不能部１０７に対応する位置が印刷されない余白１０８となり、この余白１０８の中間で巻取紙１００を切断して印刷物１０９を完成させる。このように、巻取紙１００を輪転印刷した印刷物１０９には、その印刷の仕組み上、印刷物１０９の上下に余白１０８が設けられている。そして、このような余白１０８を設けたくない場合には、一旦、余白１０８付きで完成させた印刷物１０９の余白１０８部分を別途切り取って余白１０８のない印刷物１０９を完成させている。
【先行技術文献】
【特許文献】
【０００４】
【特許文献１】特開２０１３−１８４３９８
【特許文献２】特開平９−６６５９８
【発明の概要】
【発明が解決しようとする課題】
【０００５】
ところで、印刷物にはデザイン上の理由から余白のない印刷をしたい場合が多い。しかし、従来のように余白部分を別途切り取って余白のない印刷物とする場合、出来上がる印刷物の大きさは、余白を切り取らないものに比べて小さくなる問題があり、例えば、余白を残した印刷物と余白のない印刷物とが混在するような場合に、余白のない印刷物が埋没するおそれがある。
【０００６】
そこで本発明は、印刷方向の端部に余白が生じることの無い印刷物製造方法を提供することを目的とする。
【課題を解決するための手段】
【０００７】
本発明の印刷物製造方法は、輪転印刷機により巻取紙に印刷した後に切断して印刷物を形成する印刷物製造方法であって、前記印刷物の印刷方向の中間位置に当該印刷物の印刷方向に対して直角な無印刷領域を設け、当該無印刷領域を境界にして上下領域に印刷デザインを配置した印刷原稿をデザインするデザイン工程と、前記印刷原稿における上下端が連続するとともに、前記印刷原稿における無印刷領域が印刷版の咥え及び咥え尻の間の印刷不可能部となるように印刷版を作製する印刷版作製工程と、版胴に前記印刷版を巻きつけるとともに、前記咥え及び咥え尻を固定して、前記印刷版を固定し、輪転印刷する印刷工程と、印刷された巻取紙を前記印刷原稿における上下端の間で切断する切断工程と、を備えることを特徴としている。
【０００８】
また、本発明の印刷物製造方法は、輪転印刷機により巻取紙に複数の印刷版を重ね刷り印刷した後に切断して印刷物を形成する印刷物製造方法であって、前記印刷物の印刷方向に対して直角な無印刷領域が少なくとも１つの印刷版と他の印刷版とで重ならない配置となるように印刷原稿をデザインするデザイン工程と、前記印刷原稿における無印刷領域が印刷版の咥え及び咥え尻の間の印刷不可能部となるようにそれぞれの印刷版を作製する印刷版作製工程と、複数の版胴にそれぞれ前記印刷版を巻きつけるとともに、前記咥え及び咥え尻を固定して、当該印刷版を固定し、当該印刷版毎に輪転印刷を繰り返して重ね刷りする印刷工程と、印刷された巻取紙を前記印刷原稿における上下端の間で切断する切断工程と、を備えることを特徴としている。
【０００９】
また、本発明の印刷物製造方法は、前記印刷版はそれぞれ異なる色に対応する印刷版であり、前記印刷物は多色重ね刷りの印刷物であることを特徴としている。
【００１０】
さらに、本発明の印刷物製造方法は、前記デザイン工程は、前記印刷原稿における上端又は下端に見出し部をデザインすることを特徴としている。
【００１１】
ここで、「見出し部」とは、印刷物の内容や表題を文字、図形、模様、又は色彩で表したものである。
【００１２】
本発明の印刷物製造方法は、前記印刷物は折込チラシであり、前記切断工程により切断された印刷物を当該印刷物の印刷方向の中央からずらした位置で２つ折りする２つ折り工程を更に有することを特徴としている。
【発明の効果】
【００１３】
本発明の印刷物製造方法によると、デザイン工程において、印刷物の印刷方向の中間位置に当該印刷物の印刷方向に対して直角な無印刷領域を設けて、当該無印刷領域を境界にして上下領域に印刷デザインを配置した印刷原稿をデザインしている。そして、印刷版作製工程では、印刷原稿における上下端が連続するとともに、印刷原稿における無印刷領域が印刷版の咥え及び咥え尻の間の印刷不可能部となるように印刷版を作製している。そして、印刷工程では、版胴に前記印刷版を巻きつけるとともに、咥え及び咥え尻を固定して、前記印刷版を固定し、輪転印刷し、その後、切断工程で、印刷された巻取紙を印刷原稿における上下端の間で切断している。したがって、印刷をすることができない部分を印刷物の中間位置に取り込むことで、デザインの一部とすることができ、印刷版における天地と、印刷物における天地とをずらすことによって、天地端に余白の無い印刷物を製造することができる。
【００１４】
本発明の印刷物製造方法によると、複数の印刷版を重ね刷りする印刷物製造方法であって、デザイン工程において、印刷物の印刷方向に対して直角な無印刷領域が少なくとも１つの印刷版と他の印刷版とで重ならない配置となるように印刷原稿をデザインしている。そして、印刷版作製工程では、印刷原稿における無印刷領域が印刷版の咥え及び咥え尻の間の印刷不可能部となるようにそれぞれの印刷版を作製している。そして、印刷工程では、複数の版胴にそれぞれ印刷版を巻きつけるとともに、咥え及び咥え尻を固定して、当該印刷版を固定し、当該印刷版毎に輪転印刷を繰り返して重ね刷り印刷し、その後、切断工程で、印刷された巻取紙を前記印刷原稿における上下端の間で切断している。したがって、複数の印刷版の無印刷領域の少なくとも１つをずらすようにデザインすることで、印刷不可能部を印刷版毎に異なる位置にすることができる。これにより、全ての印刷版による重ね刷り印刷を終了した印刷物は、印刷がなされていない部分を無くすことができる。
【００１５】
また、本発明の印刷物製造方法によると、印刷版はそれぞれ異なる色に対応する印刷版であり、印刷物は多色重ね刷りの印刷物であるので、印刷がなされていない部分の無い多色重ね刷り印刷物とすることができる。
【００１６】
さらに、本発明の印刷物製造方法によると、デザイン工程は、印刷原稿における上端又は下端に見出し部をデザインしている。本発明の印刷物製造方法による印刷物は余白部分を切り取ることが無いので、紙面の大きさが小さくなることが無く、且つ、上下端まで印刷されているので、より印刷物を目出させることができるとともに、上下端を見ただけで、印刷物に対する興味を持たせることができる。
【００１７】
本発明の印刷物製造方法によると、印刷物は折込チラシであり、切断工程により切断された印刷物を印刷物の印刷方向の中央からずらした位置で２つ折りする２つ折り工程を更に有するので、多数の折込チラシが挿入された新聞等であっても、上下端まで印刷されている印刷物の一部が見えるので、印刷物をより目立たせることができる。
【図面の簡単な説明】
【００１８】
【図１】本発明の印刷物製造方法の工程を示すフローチャート。
【図２】第一実施形態の印刷原稿を示す図。
【図３】第一実施形態の印刷版を示す図。
【図４】印刷版を版胴に巻きつけ固定する状態を示す図。
【図５】印刷工程を説明する斜視図。
【図６】印刷工程を説明する断面図。
【図７】２つ折り工程を説明する図。
【図８】（ａ）は、第二実施形態の印刷原稿を示す図、（ｂ）は印刷原稿を色成分毎に分解した状態を示す図。
【図９】（ａ）は第二実施形態の印刷原稿を色成分毎に分解した状態を示す図、（ｂ）は色成分毎の印刷版を示す図。
【図１０】第二実施形態の印刷工程を説明する断面図。
【図１１】従来の印刷物の製造方法を説明する図。
【発明を実施するための形態】
【００１９】
〔第一実施形態〕
以下、本発明に係る印刷物製造方法の第一実施形態について各図を参照しつつ説明する。第一実施形態の印刷物製造方法は、輪転印刷機１により巻取紙２に印刷した後に当該巻取紙２を切断して印刷物３を形成する印刷物製造方法である。本実施形態の印刷物製造方法は、図１に示すように、印刷物３の印刷原稿４をデザインするデザイン工程Ｓ１と、デザイン工程Ｓ１でデザインした印刷原稿４に基づいて印刷版５を作成する印刷版作製工程Ｓ２と、印刷版作製工程Ｓ２で作製した印刷版５を版胴６に固定して巻取紙２に輪転印刷する印刷工程Ｓ３と、印刷工程Ｓ３により印刷された巻取紙２を切断して印刷物３を得る切断工程Ｓ４と、を有する。そして本実施形態の印刷物製造方法は、切断工程Ｓ４の後に、更に、印刷物３を２つ折りにする２つ折り工程Ｓ５を更に有するものであっても良い。以下、各工程ごとに説明する。
【００２０】
〔デザイン工程〕
デザイン工程Ｓ１では、印刷物３に印刷する情報を例えばパソコン上でデザインする工程である。例えば文字や画像を組み合わせて１枚の印刷物３に印刷する印刷原稿４の情報をデザインする。本実施形態のデザイン工程Ｓ１では、図２に示すように、印刷物３の印刷方向の中間位置に当該印刷物３の印刷方向に対して直角な無印刷領域７が設けられる。無印刷領域７は幅が例えば２０ｍｍ程の帯状で、巻取紙２の全幅に亘って設けられる領域であり、巻取紙２にインクが付けられることが無い領域である。なお、無印刷領域７の幅は、後述する印刷不可能部１６の幅以上であれば、２０ｍｍに限定されるものではない。
【００２１】
無印刷領域７は、印刷物３の印刷方向の中間、すなわち、印刷方向における両端以外の位置であり、且つ、デザイン上の都合の良い位置に配置される。無印刷領域７は印刷されないので、巻取紙２の色の帯状に表れる。したがって、例えば印刷物３の上下で異なる情報を表す場合の紙面上の境界や文字列を強調するアンダーラインとして、無印刷領域７をデザインに取り込むことができる。無印刷領域７の上下には、それぞれ文字又は画像などの情報を表す上印刷領域８及び下印刷領域９が形成される。上印刷領域８は上端まで余白を設けずに形成されており、下印刷領域９は下端まで余白を設けずに形成される。
【００２２】
〔印刷版作製工程〕
印刷版作製工程Ｓ２は、前述のデザイン工程Ｓ１でデザインした印刷原稿４の情報を印刷版５に描画する工程である。印刷版作製工程Ｓ２は、例えば、前述の印刷原稿データをフィルムに出力して、当該フィルムをＰＳ版（presensitized plate）に焼き付けて印刷版５を作製する工程であっても良く、又は、印刷原稿データを直接的にレーザー描画するＣＴＰ（computer-to-plate）方式の工程であっても良い。
【００２３】
本実施形態の印刷版作製工程Ｓ２は、デザイン工程Ｓ１でデザインした印刷原稿４から印刷版５に描画する情報そのものである版下原稿を作成し、当該版下原稿を印刷版５に描画する。具体的には、図３に示すように、印刷原稿４における上下端が連続し、且つ、印刷原稿４における無印刷領域７が印刷版５の咥え１０及び咥え尻１１の間の印刷不可能部１６となるように版下原稿を作成し、印刷版５にレーザーで描画する。すなわち、印刷版５では、印刷原稿４における下印刷領域９の下に上印刷領域８を配置し、当該下印刷領域９の下端と上印刷領域８の上端が連続するように配置する。そして、印刷版５の上端及び下端は当該印刷版５の咥え１０及び咥え尻１１が配置される。
【００２４】
〔印刷工程〕
印刷工程Ｓ３は、例えば、版下原稿から転写された印刷版５の画像を、いったん、ゴムが巻きつけられたブランケット胴１２に転写し、ブランケット胴１２から巻取紙２に転写するオフセット印刷を例示して説明する。なお、本発明における「印刷工程」はオフセット印刷に限定されるものではなく、印刷版５を用いて巻取紙２に輪転印刷する印刷方式であれば、どのような印刷方式にも適用することができる。印刷工程Ｓ３では、図４に示すように、印刷版作製工程Ｓ２で作製した印刷版５を版胴６に巻きつけて、印刷版５の咥え１０及び咥え尻１１を、版胴６の外周面に軸方向を向けて形成された切溝１３内に固定する。具体的には印刷版５が版胴６に巻き付けられた後、版胴６の外周面に形成された切溝１３内の図示しない巻棒に、印刷版５の咥え１０及び咥え尻１１が係合し、この巻棒を所定方向へ回動させることにより切溝１３内に引き込まれ、印刷版５が緊張した状態で版胴６に装着される。
【００２５】
印刷版５を版胴６に装着すると、図示しないが、給紙部がロール状の巻取紙２を引き出して、当該巻取紙２を印刷ラインに供給する。印刷ラインでは、表面側と裏面側にそれぞれ版胴６及びブランケット胴１２などが配置されており、表面側のブランケットと裏面側のブランケット胴１２との間に巻取紙２を通過させて巻取紙２に画像を印刷する。具体的には、図６に示すように、印刷版５に水着ローラ１４で水を供給し、インキ着ローラ１５でインキを供給しながら、版胴６を回転させ、当該版胴６の回転に従ってブランケット胴１２を回転させることにより、版胴６の表面に巻きつけられた印刷版５に付着したインキをブランケット胴１２に転写し、当該インキをブランケット胴１２から巻取紙２に更に転写して印刷工程Ｓ３を完了する。
【００２６】
〔切断工程〕
切断工程Ｓ４では、図５に１点鎖線で示すように、印刷された巻取紙２をデザイン工程Ｓ１でデザインした印刷原稿４における上下端の間で切断する。具体的には、印刷された状態の長尺な巻取紙２を印刷ラインの後に設けられた図示しない切断手段で切断して印刷物３を形成する。この印刷物３は、版胴６に印刷版５を固定する構造上、必ず発生する印刷不可能部１６を印刷物３の中間位置に取り込み、デザインの一部としているので、印刷物３の上下の端部に発生する余白を取り除くことができる。
【００２７】
〔２つ折り工程〕
２つ折り工程Ｓ５では、図７に示すように、印刷物３の印刷方向の中央からずらした位置で２つ折りする。具体的には、例えばチョッパー折り装置のような公知の折り装置によって印刷物３が２つ折りされる。このとき、印刷物３の中央から上下のいずれかにずらした位置に折り目が設けられるように折り装置を調整する。このように、印刷物３の印刷方向の中央からずらした位置で２つ折りするので、例えば多数の折込チラシが挿入された新聞等であっても、上下端まで印刷されている印刷物３の一部が重なり合った折り込みチラシから飛び出して見えるので、印刷物３をより目立たせることができる。
【００２８】
なお、この飛び出した部分を例えば見出し部１７として、予めデザイン工程Ｓ１においてデザインすることで、より印刷物３を目立たせることができる。すなわち、従来の印刷物では印刷することができなかった印刷物３の上端又は下端の他の印刷物と重ねたときに、印刷物の束から飛び出す部分を見出し部１７として、当該印刷物３の内容や表題を文字、図形、模様、又は色彩で表すことによって、他の印刷物と重なった状態でも印刷物３の内容などを認識することができるので、当該印刷物３により興味を持たせることができる。
【００２９】
なお、本実施形態の印刷物製造方法は例えば折り込みチラシを製造する方法であるが、巻取紙２を輪転印刷して印刷物３を製造する方法であれば、折り込みチラシに限定されるものではなく、新聞・雑誌・本その他の印刷物３を製造する方法に適用することができる。
【００３０】
〔第二実施形態〕
次に、本発明に係る印刷物製造方法の第二実施形態について図８から図１０を参照しつつ説明する。なお、第一実施形態の印刷物製造方法と同様の工程については、その説明を省略する。第二実施形態の印刷物製造方法は、輪転印刷機１により巻取紙２に印刷した後に当該巻取紙２を切断して印刷物３を形成する印刷物製造方法であり、複数の印刷版５を巻取紙２に重ね刷り印刷する印刷物製造方法である。本実施形態においては、４色を重ね刷りする多色重ね刷りの印刷物製造方法を例示して説明するが、本実施形態の印刷物製造方法は、４色に限定されるものではない。また、多色重ね刷りに限られず、例えば同色を重ね刷り印刷する印刷物製造方法であっても良い。
【００３１】
本実施形態の印刷物製造方法は、図１に示すように、印刷物３の印刷原稿４をデザインするデザイン工程Ｓ１と、デザイン工程Ｓ１でデザインした印刷原稿４に基づいて印刷版５を作成する印刷版作製工程Ｓ２と、印刷版作製工程Ｓ２で作製した印刷版５を版胴６に固定して巻取紙２に輪転印刷する印刷工程Ｓ３と、印刷工程Ｓ３により印刷された巻取紙２を切断して印刷物３を得る切断工程Ｓ４と、を有する。そして本実施形態の印刷物製造方法は、切断工程Ｓ４の後に、更に、印刷物３を２つ折りにする２つ折り工程Ｓ５を更に有するものであっても良い。以下、各工程ごとに説明する。
【００３２】
〔デザイン工程〕
本実施形態のデザイン工程Ｓ１では、無印刷領域７が少なくとも１つの印刷版５と他の印刷版５とで重ならない配置となるように印刷原稿４をデザインする。具体的には、例えば図８（ａ）に示すように、仮の印刷原稿４´を作成し、当該仮の印刷原稿４´を、図８（ｂ）に示すように、例えばシアン、マゼンタ、イエロー、ブラックの色成分毎に分離して、色成分毎の印刷原稿４ａ−４ｄを作成する。そして各色成分の印刷原稿４ａ−４ｄ毎に当該色成分の無印刷領域７の有無を判断する。すなわち、色成分の印刷原稿４ａ−４ｄ毎に印刷方向に対して直角な幅が２０ｍｍを超える帯状であり、且つ、当該色成分がない領域の有無を判断する。そして上述のような色成分が無い領域があると判断すると、その領域を当該色成分の無印刷領域７に設定する。
【００３３】
一方、色成分毎の印刷原稿４ａ−４ｄ中に、印刷方向に対して直角な幅が２０ｍｍを超える帯状であり、且つ、当該色成分がない領域が無い場合には、当該色成分の使用量が少ない幅２０ｍｍを超える帯状の領域を無印刷領域７に設定し、色成分毎の印刷原稿４ａ−４ｄから当該無印刷領域７における当該色成分を取り除き、他の色成分を調整し、又は印刷原稿４のデザインを見直すなどして、当該無印刷領域７を印刷原稿４のデザイン内に取り込む。
【００３４】
無印刷領域７は、図８（ｂ）に示すように、各色成分の印刷原稿４ａ−４ｄ毎に重ならないように配置される。これによって、図８（ａ）のように、各色成分の印刷原稿４ａ−４ｄを重ね合わせた場合に、少なくとも全ての領域でいずれかの色が表示されることになる。
【００３５】
〔印刷版作製工程〕
印刷版作製工程Ｓ２は、デザイン工程Ｓ１でデザインした各色成分毎の印刷原稿４ａ−４ｄから印刷版５に描画する情報そのものである版下原稿を作成し、当該版下原稿を印刷版５に描画する。具体的には第一の実施形態と同様であるので詳細な説明を省略するが、図９（ａ）に示すような、各色成分毎の印刷原稿４ａ−４ｄから、各色成分毎に版下原稿を作成し、各色成分毎の版下原稿に基づいて、図９（ｂ）に示すような、各色成分の印刷版５を作製する。印刷版５は各色成分毎の印刷原稿４ａ−４ｄにおける上下端が連続し、且つ、それぞれの無印刷領域７が印刷版５の咥え１０及び咥え尻１１の間の印刷不可能部１６となるように版下原稿を作成し、印刷版５にレーザーで描画する。
【００３６】
〔印刷工程〕
印刷工程Ｓ３は、各色成分毎に印刷版５を版胴６に巻きつけ固定し、ブランケット胴１２に転写して、巻取紙２に重ね刷り印刷する。巻取紙２への印刷は印刷原稿４における上下端が各色成分毎の印刷版５でそれぞれ一致するように重ね刷り印刷する。なお印刷工程Ｓ３の具体的な工程は、第一の実施形態と同様であるので、図１０において同一の符号を付して説明を省略する。
【００３７】
〔切断工程〕
切断工程Ｓ４では、印刷された巻取紙２をデザイン工程Ｓ１でデザインした印刷原稿４における上下端の間で切断する。このようにして形成された印刷物３は、色成分毎の印刷版５の無印刷領域７のうち少なくとも１つをずらすようにデザインすることで、印刷不可能部１６を印刷版５毎に異なる位置にすることができる。これにより、全ての印刷版５による重ね刷り印刷を終了した印刷物３は、全面において印刷がなされていない部分を無くすことができる。なお、２つ折り工程Ｓ５は、第一実施形態と同様の工程であるので説明を省略する。
【００３８】
なお、本発明の実施の形態は上述の形態に限ることなく、本発明の思想の範囲を逸脱しない範囲で適宜変更することができることは云うまでもない。
【産業上の利用可能性】
【００３９】
本発明に係る印刷物製造方法は、例えば新聞の折り込みチラシを製造する印刷物製造方法として好適に適用することができる。
【符号の説明】
【００４０】
２      巻取紙
３      印刷物
４      印刷原稿
５      印刷版
６      版胴
７      無印刷領域
１０    咥え
１１    咥え尻
１６    印刷不可能部
【図１】
2017185719.tif 000003
【図２】
2017185719.tif 000004
【図３】
2017185719.tif 000005
【図４】
2017185719.tif 000006
【図５】
2017185719.tif 000007
【図６】
2017185719.tif 000008
【図７】
2017185719.tif 000009
【図８】
2017185719.tif 000010
【図９】
2017185719.tif 000011
【図１０】
2017185719.tif 000012
【図１１】
2017185719.tif 000013
【手続補正書】
【提出日】平成29年5月23日(2017.5.23)
【手続補正１】
【補正対象書類名】特許請求の範囲
【補正対象項目名】請求項１
【補正方法】変更
【補正の内容】
【請求項１】
輪転印刷機により巻取紙に印刷した後に切断して印刷物を形成する印刷物製造方法であって、
前記印刷物の印刷方向の中間位置に、当該印刷物の印刷方向に対して直角な帯状で、且つ全幅に亘って設けられる無印刷領域を設け、当該無印刷領域を境界にして上下領域に印刷デザインを配置した印刷原稿をデザインするデザイン工程と、
前記印刷原稿における上下端が連続するとともに、前記印刷原稿における無印刷領域が印刷版の咥え及び咥え尻の間の印刷不可能部となるように印刷版を作製する印刷版作製工程と、
版胴に前記印刷版を巻きつけるとともに、前記咥え及び咥え尻を固定して、前記印刷版を固定し、輪転印刷する印刷工程と、
印刷された巻取紙を前記印刷原稿における上下端の間で切断する切断工程と、
を備えることを特徴とする印刷物製造方法。
【手続補正２】
【補正対象書類名】特許請求の範囲
【補正対象項目名】請求項２
【補正方法】変更
【補正の内容】
【請求項２】
輪転印刷機により巻取紙に複数の印刷版を重ね刷り印刷した後に切断して印刷物を形成する印刷物製造方法であって、
前記印刷物の印刷方向に対して直角な帯状で、且つ全幅に亘って設けられる無印刷領域が少なくとも１つの印刷版と他の印刷版とで重ならない配置となるように印刷原稿をデザインするデザイン工程と、
前記印刷原稿における無印刷領域が印刷版の咥え及び咥え尻の間の印刷不可能部となるようにそれぞれの印刷版を作製する印刷版作製工程と、
複数の版胴にそれぞれ前記印刷版を巻きつけるとともに、前記咥え及び咥え尻を固定して、当該印刷版を固定し、当該印刷版毎に輪転印刷を繰り返して重ね刷りする印刷工程と、
印刷された巻取紙を前記印刷原稿における上下端の間で切断する切断工程と、
を備えることを特徴とする印刷物製造方法。
【手続補正３】
【補正対象書類名】明細書
【補正対象項目名】０００７
【補正方法】変更
【補正の内容】
【０００７】
本発明の印刷物製造方法は、輪転印刷機により巻取紙に印刷した後に切断して印刷物を形成する印刷物製造方法であって、前記印刷物の印刷方向の中間位置に、当該印刷物の印刷方向に対して直角な帯状で、且つ全幅に亘って設けられる無印刷領域を設け、当該無印刷領域を境界にして上下領域に印刷デザインを配置した印刷原稿をデザインするデザイン工程と、前記印刷原稿における上下端が連続するとともに、前記印刷原稿における無印刷領域が印刷版の咥え及び咥え尻の間の印刷不可能部となるように印刷版を作製する印刷版作製工程と、版胴に前記印刷版を巻きつけるとともに、前記咥え及び咥え尻を固定して、前記印刷版を固定し、輪転印刷する印刷工程と、印刷された巻取紙を前記印刷原稿における上下端の間で切断する切断工程と、を備えることを特徴としている。
【手続補正４】
【補正対象書類名】明細書
【補正対象項目名】０００８
【補正方法】変更
【補正の内容】
【０００８】
また、本発明の印刷物製造方法は、輪転印刷機により巻取紙に複数の印刷版を重ね刷り印刷した後に切断して印刷物を形成する印刷物製造方法であって、前記印刷物の印刷方向に対して直角な帯状で、且つ全幅に亘って設けられる無印刷領域が少なくとも１つの印刷版と他の印刷版とで重ならない配置となるように印刷原稿をデザインするデザイン工程と、前記印刷原稿における無印刷領域が印刷版の咥え及び咥え尻の間の印刷不可能部となるようにそれぞれの印刷版を作製する印刷版作製工程と、複数の版胴にそれぞれ前記印刷版を巻きつけるとともに、前記咥え及び咥え尻を固定して、当該印刷版を固定し、当該印刷版毎に輪転印刷を繰り返して重ね刷りする印刷工程と、印刷された巻取紙を前記印刷原稿における上下端の間で切断する切断工程と、を備えることを特徴としている。